(57)【要約】【課題】本発明は、複数系統の入線の分電盤のキャビネット寸法を縮小することを目的とする。【解決手段】本発明に係る分電盤１の構造は、キャビネット３の両端には固定レール４を配列し、固定レール４にはレール５を渡し、レール５にはスライドレール６を取り付けると共に、スライドレール６の端部に機器取り付けレール８を固定し、機器取り付けレール８または固定レール４に分岐パネル９を取り付け、分岐パネル９に電気機器を載置固定して分電盤１を構成し、分電盤１が多系統で構成される場合、系統別に分岐パネル９を機器取り付けレール８または固定レール４に取り付け、機器取り付けレール８に取り付けた電気機器はスライド動作により移動可能であり必要に応じて取り付け位置の変更ができる。【選択図】図１
2007209066.tif 000002
【特許請求の範囲】
【請求項１】
キャビネット内に二系統以上の入線がある分電盤において、前記キャビネットの両端には固定レールを配列し、該固定レールにはレールを渡し、該レールにはスライドレールを取り付けると共に、スライドレールの端部に機器取り付けレールを固定し、該機器取り付けレールまたは前記固定レールに分岐パネルを取り付け、該分岐パネルに前記電気機器を載置固定して前記分電盤を構成し、該分電盤が多系統で構成される場合、系統別に前記分岐パネルを前記機器取り付けレールまたは前記固定レールに取り付け、前記機器取り付けレールに取り付けた前記電気機器はスライド動作により移動可能であり必要に応じて取り付け位置の変更ができることを特徴とする分電盤。
【請求項２】
前記分電盤において、前記母線は系統別に積み上げ、前記分電盤に配置される分岐ブレーカは、該分岐ブレーカと前記母線とを接続する分岐バーを反転させると、別の系統の母線群に接続可能となることを特徴とする請求項１に記載の分電盤。
【発明の詳細な説明】
【技術分野】
【０００１】
本発明は、キャビネット内に二系統以上の入線がある分電盤に関するものである。
【背景技術】
【０００２】
複数系統の入線がある分電盤３１において、電気機器３２や導電バー３３は各系統ごとに分けて配置していた。例えば図３に示すように左右に分けて配置する。図４に示すように上下に分けて配置するといった方法がとられていた。
【０００３】
図５に示すように、複数系統の入線を分けずにそれぞれの母線３４群に接続する場合、母線３４群は表面側と底面側と二段に重ねて配置し、母線３４等で構成される充電部は支持台に固定していた。
【特許文献１】特許第３６６３９１０号公報
【非特許文献１】２００５  カワムラ  総合カタログ  電設資材編  平成１７年５月１日発行
【発明の開示】
【発明が解決しようとする課題】
【０００４】
しかしながら、上記分電盤３１では、導電バー３３は横に並列させるため、分電盤３１の幅が広く必要となり、分電盤３１を構成するキャビネットが大きくなってしまい、設置場所も制約されると共に、価格も上がってしまうという欠点があった。また、充電部は支持台３５に固定されるため、分岐の増設等の改造は充電部をすべて取り外して行うという煩雑な作業が必要になるため、容易に行えなかった。
【課題を解決するための手段】
【０００５】
そこで本発明は、複数系統の入線の分電盤のキャビネット寸法を縮小することを目的とし、その構造は、キャビネットの両端には固定レールを配列し、固定レールにはレールを渡し、レールにはスライドレールを取り付けると共に、スライドレールの端部に機器取り付けレールを固定し、機器取り付けレールまたは固定レールに分岐パネルを取り付け、分岐パネルに電気機器を載置固定して分電盤を構成し、分電盤が多系統で構成される場合、系統別に分岐パネルを機器取り付けレールまたは固定レールに取り付け、機器取り付けレールに取り付けた電気機器はスライド動作により移動可能であり必要に応じて取り付け位置の変更ができることを特徴とする。
【０００６】
また、母線は系統別に積み上げ、分電盤に配置される分岐ブレーカは、分岐ブレーカと母線とを接続する分岐バーを反転させると、別の系統の母線群に接続可能となることを特徴とする。
【発明の効果】
【０００７】
本発明に係る分電盤は、本発明は、キャビネットの両端には固定レールを配列し、固定レールにはレールを渡し、レールにはスライドレールを取り付けると共に、スライドレールの端部に機器取り付けレールを固定し、該機器取り付けレールまたは固定レールに分岐パネルを取り付け、分岐パネルに電気機器を載置固定して分電盤を構成し、分電盤が多系統で構成される場合、系統別に分岐パネルを機器取り付けレールまたは固定レールに取り付け、機器取り付けレールに取り付けた電気機器はスライド動作により移動可能であり必要に応じて取り付け位置の変更ができるため、複数系統入線される分電盤のキャビネット寸法を縮小しながらも、施工、点検、改造等の各作業が容易にできるようにする。
【０００８】
また、母線は系統別に積み上げ、分電盤に配置される分岐ブレーカは、分岐ブレーカと母線とを接続する分岐バーを反転させると、別の系統の母線群に接続可能となるため、系統別に分けて電気機器を配置する必要がなく、省スペースとなると共に、組み付け作業が容易である。
【発明を実施するための最良の形態】
【０００９】
省スペースに電気機器を収納できる分電盤を提供するという目的を、最小の部品点数で、施工、点検、改造を容易に行えるようにした。
【実施例１】
【００１０】
本発明に係る分電盤の実施例を図１〜図２の添付図面に基づいて説明する。
【００１１】
分電盤１は、分岐ブレーカ２等の電気機器をキャビネット３に配列し構成される。キャビネット３の両端には固定レール４を配列する。固定レール４にはレール５を渡し固定する。レール５の表面にはスライドレール６をスライド動作により移動可能に取り付ける。スライドレール６には長穴７を加工し、長穴７の範囲内においてレール５に固定する位置を変更できる。スライドレール６の端部に機器取り付けレール８を固定する。
【００１２】
分岐ブレーカ２は分岐パネル９に載置固定し、分岐パネル９を固定レール４と機器取り付けレール８どちらにも固定可能に固定穴１０を設ける。系統別に分岐パネル９を固定レール４に取り付けるか、機器取り付けレール８に取り付けるか分ける。例えば第一系統の分岐ブレーカ２ａは機器取り付けレール８に固定し、第二系統の分岐ブレーカ２ｂは固定レール４に固定する。また同じ系統の分岐ブレーカ２は同じ母線１１群へ分岐バー１２を介して接続される。母線１１群は上下二段に構え、例えば前述の第一系統の分岐ブレーカ２ａは図１における下側の第一母線群１１ａへ接続し、第二系統の分岐ブレーカ２ｂは図１における上側の第二母線群１１ｂへ接続する。
【００１３】
通常分電盤１のキャビネット３に電気機器を収納するときには、母線１１は上下重ねた状態に配置すると最小のスペースで納めることができる。しかしながら、図１に示すように、母線１１が系統別に重ねてあると、下側の母線群１１ｂに接続される分岐バー１２の接続ねじ１３が目視できない。そのままの状態では、施工、増設、点検等の作業が行えない。作業の際には、機器取り付けレール８に取り付けた第一系統の分岐ブレーカ２ａをスライドレール６によりスライドさせ、上下の母線１１の重なりをずらし、下側の母線群１１ｂも正面から目視できる位置に移動させる。
【００１４】
収納時には、母線１１を重ね、小さいスペースで構成されるが、作業時には母線１１の位置が移動でき、作業が行えるようにする。
【実施例２】
【００１５】
母線１１は分岐バー１２との接続部は平面に形成され、分岐ブレーカ２の端子部と母線１１との高さの調整は分岐バー１２を折曲形成することで行っている。その分岐バー１２の折曲段差を、分岐バー１２を第一系統の母線群１１ａに接続できると共に、反転した場合には第二系統の母線群１１ｂと接続可能になるようにする。
【００１６】
従来は、系統別に分岐ブレーカ２を配置していたが、分岐バー１２を反転することで別系統の母線群１１に接続が可能であるため、分岐ブレーカ２は系統に関わらず連続して配置することができ、省スペースとなる。また、回路を増設する際にも、分岐ブレーカ２は系統に関わらず配置でき省スペースとなる。
【００１７】
また、既存の分岐ブレーカ２を別系統に接続したい場合には、分岐パネル９を取り付けるレールを、固定レール４から機器取り付けレール８へ、または機器取り付けレール８から固定レール４へ変更し、分岐バー１２を反転させることで可能になる。
【産業上の利用可能性】
【００１８】
分岐ブレーカ２を載置固定する分岐パネル９は、スライドレール６に固定することで、固定位置を移動させることができ、通常使用状態では、コンパクトにキャビネット３に収納し、施工、増設、点検等の作業の際には分岐パネルごと移動させ、作業スペースを作ることができ、省スペースでありながら作業がしやすい分電盤を提供する。
【図面の簡単な説明】
【００１９】
【図１】本発明に係る分電盤を示す説明図である。（実施例１）
【図２】本発明に係る分電盤を示す説明図である。（実施例１）
【図３】従来の分電盤を示す説明図である。
【図４】従来の分電盤を示す説明図である。
【図５】従来の分電盤を示す説明図である。
【符号の説明】
【００２０】
１      分電盤
２      分岐ブレーカ
２ａ    第一系統の分岐ブレーカ
２ｂ    第二系統の分岐ブレーカ
３      キャビネット
４      固定レール
５      レール
６      スライドレール
７      長穴
８      機器取り付けレール
９      分岐パネル
１０    固定穴
１１    母線
１１ａ  第一母線群
１１ｂ  第二母線群
１２    分岐バー
１３    接続ねじ
【図１】
2007209066.tif 000003
【図２】
2007209066.tif 000004
【図３】
2007209066.tif 000005
【図４】
2007209066.tif 000006
【図５】
2007209066.tif 000007